(57)【要約】本発明はＬＥＤランプに関するもので、下部に開口される挿入口１１と内部空間１３が形成されるランプケース１０と、前記挿入口１１をカバーするように前記ランプケース１０の下面に結合されるＬＥＤ光源部２０と、前記ＬＥＤ光源部２０と接するように前記ランプケース１０の内部空間に配置される複数の放熱板３０と、前記ランプケース１０の下面に装着され、前記ＬＥＤ光源部２０を外部からカバーして通風孔４５が形成された透明窓４１を備えるランプカバー４０と、前記通風孔４５に設置され、前記ＬＥＤ光源部２０と前記ランプカバー４０の内部の空気及び湿気を外部に排出する通風栓５０とを含む。本発明は高い放熱機能を有し、小型軽量化が可能であり、外部からＬＥＤ光源を保護するとともに透明窓の内部の結露現象が防止されるという利点がある。
2016524293.tif 000002
【特許請求の範囲】
【請求項１】
下部に開口される挿入口と内部空間が形成されるランプケースと；
前記挿入口をカバーするように前記ランプケースの下面に結合されるＬＥＤ光源部と；
前記ＬＥＤ光源部と接するように前記ランプケースの内部空間に配置される複数の放熱板と；
前記ランプケースの下面に装着され、前記ＬＥＤ光源部を外部からカバーし、通風孔が形成された透明窓を備えるランプカバーと；
前記通風孔に設置され、前記ＬＥＤ光源部と前記ランプカバーの内部の空気及び湿気を外部に排出する通風栓と；
を含むことを特徴とするＬＥＤランプ。
【請求項２】
前記通風栓は、
前記通風孔に対応する外径を有し、第１流路が貫通されるように形成された本体部と、
前記本体部に比べて相対的に外径が大きく、側面を回って前記第１流路と連通する第２流路が形成された頭部と；
を含むことを特徴とする請求項１に記載のＬＥＤランプ。
【請求項３】
前記頭部は、
前記本体部と連結される第１頭部と、
前記第１頭部と離隔された第２頭部と、
前記第２流路が形成されるように前記第１頭部と前記第２頭部とを連結するブリッジと
を含むことを特徴とする請求項２に記載のＬＥＤランプ。
【請求項４】
前記頭部に形成された前記第２流路の幅は前記ブリッジによって内部から外部に行くほどその幅が漸次に大きくなる形状である
ことを特徴とする請求項３に記載のＬＥＤランプ。
【請求項５】
前記第２頭部は前記ブリッジに結合され、分離可能である
ことを特徴とする請求項３に記載のＬＥＤランプ。
【請求項６】
前記第１流路の少なくとも一部分に間隔が狭くなる気孔部を形成した
ことを特徴とする請求項２に記載のＬＥＤランプ。
【請求項７】
前記第１流路にフィルター部材が配置された
ことを特徴とする請求項２に記載のＬＥＤランプ。
【請求項８】
前記本体部は外周面に螺糸山が形成されたボルト部材で、前記本体部の螺糸山にナット部材が締結されて、前記本体部が前記透明窓に固定される
ことを特徴とする請求項２に記載のＬＥＤランプ。
【請求項９】
前記本体部の外周面に結合され、前記頭部と前記ランプカバーとの間で圧入されるシール部材をさらに含む
ことを特徴とする請求項２に記載のＬＥＤランプ。
【請求項１０】
前記通風栓は前記ＬＥＤ光源部の辺縁一側に形成した通風孔に設置される
ことを特徴とする請求項１に記載のＬＥＤランプ。
【請求項１１】
前記ランプケースは長さ方向の両側面が下向きに傾斜した形状で、前記長さ方向の両側面に複数の通風スリットが前記ランプケースの長さ方向に形成され、
前記通風スリットには前記ランプケースの側方向に延長され、前記通風スリットが下方に開口されるようにする羽部が形成される
ことを特徴とする請求項１に記載のＬＥＤランプ。
【請求項１２】
前記放熱板は、
アルミニウム材料の板部をプレス加工し、前記板部に第１孔を有する第１突部と、前記第１突部で延長され、前記第１突部に比べて外径が小さく、前記第１孔より内径が小さい第２孔を有する第２突部とが連続して複数突出されるように形成し、
前記板部の第２突部が相手板部の第１孔に挟まれる方式で積層されるようにした
ことを特徴とする請求項１に記載のＬＥＤランプ。
【発明の詳細な説明】
【技術分野】
【０００１】
本発明はＬＥＤランプに関するもので、より詳しくは、街灯、工場灯、照明灯などで用いられるＬＥＤランプに関するものである。本発明は２０１３年６月１３日出願された韓国特許出願第１０−２０１３−００６７８４３号の出願日の利益を主張し、その内容全部は本明細書に含まれる。
【背景技術】
【０００２】
一般に、街灯及び保安灯及び公園灯は道辺、横町、公園のような屋外の露天環境で用いられ、街灯にＬＥＤを光源として用いる多様な方案が試みされている。
【０００３】
ＬＥＤ光源は效率が高いとともに寿命が長く、水銀などが含まれておらず環境に優しい。ところが、ＬＥＤ光源は電気を光に変換する過程で不可欠に熱を発生し、特に照度を高めるために集積化されたＬＥＤ光源を用いる場合、電気量が増加し、それにより発熱量も増加する。
【０００４】
そこで、ＬＥＤを街灯、工場灯、照明灯のようなランプに適用するためには、光量を高めながらも十分な放熱性を確保することが必要である。
【０００５】
また、ＬＥＤランプは異物の流入を防止するために、ＬＥＤ光源を透明窓により密閉する構造を有するため、内外部の温度差により透明窓が湿気でくもったり結露現象が発生して照度の確保が難しいという問題がある。
【０００６】
関連特許文献として、韓国公開特許第２００３−００１４９４９号（蛍光灯ＬＥＤランプを用いた全ての灯器具、２００３．０２．２０．公開）がある。
【発明の概要】
【発明が解決しようとする課題】
【０００７】
本発明の目的は、高い放熱機能を有し、小型且つ軽量化が可能でありながら、外部からＬＥＤ光源を保護するとともに、透明窓の内部の結露現象が防止され、またランプケースの内部に雨水や落ち葉及びぶんしん粉じんなどの異物の流入が防止される構造のＬＥＤランプを提供することにある。
【課題を解決するための手段】
【０００８】
上述したような目的を達するために、本発明の特徴によれば、本発明は下部に開口される挿入口と内部空間が形成されるランプケースと、上記挿入口をカバーするように上記ランプケースの下面に結合されるＬＥＤ光源部と、上記ＬＥＤ光源部と接するように上記ランプケースの内部空間に配置される複数の放熱板と、上記ランプケースの下面に装着され、上記ＬＥＤ光源部を外部からカバーし、通風孔が形成された透明窓を備えるランプカバーと、上記通風孔に設置され、上記ＬＥＤ光源部と上記ランプカバーの内部の空気及び湿気を外部に排出する通風栓とを含む。
【０００９】
上記通風栓は上記通風孔に対応する外径を有し、第１流路が貫通するように形成された本体部と、上記本体部に比べて相対的に外径が大きく、側面を回って上記第１流路と連通される第２流路が形成された頭部とを含む。
上記頭部は上記本体部と連結される第１頭部と、上記第１頭部と離隔される第２頭部と、上記第２流路が形成されるように上記第１頭部と上記第２頭部とを連結するブリッジとを含む。
上記頭部に形成された上記第２流路の幅は上記ブリッジによって内部から外部に行くほどその幅が漸次に大きくなる形状である。
上記第２頭部は上記ブリッジに結合されて分離可能である。
上記第１流路の少なくとも一部分に間隔が狭くなる気孔部が形成される。
上記第１流路にフィルター部材が配置される。
上記本体部は外周面に螺糸山が形成されたボルト部材であり、上記本体部の螺糸山にナット部材が締結されて、上記本体部が上記透明窓に固定される。
上記本体部の外周面に結合され、上記頭部と上記ランプカバーとの間で圧入されるシール部材をさらに含む。
上記通風栓は上記ＬＥＤ光源部の辺縁一側に形成した通風孔に設置される。
上記ランプケースは長さ方向の両側面が下向きに傾斜した形状であり、上記長さ方向の両側面に複数の通風スリットが上記ランプケースの長さ方向に形成され、上記通風スリットには上記ランプケースの側方向に延長されて、上記通風スリットが下方に開口されるようにする羽部が形成される。
上記放熱板はアルミニウム材料の板部をプレス加工し、上記板部に第１孔を有する第１突部と、上記第１突部で延長され、上記第１突部に比べて外径が小さく、上記第１孔より内径が小さい第２孔を有する第２突部とが連続して複数突出されるように形成され、上記板部の第２突部が相手板部の第１孔に挟まれる方式で積層されるようにする。
【発明の効果】
【００１０】
本発明のＬＥＤランプはアルミニウム素材の放熱板が積層されて数重で配置され、放熱板の間に空間部が形成される構造であるので、熱の放出に適合し、軽量化が可能であり、放熱板の積層高さが低くても放熱效率が高いという效果を奏する。
【００１１】
また、本発明のＬＥＤランプはＬＥＤ光源部を密閉する透明窓またはＬＥＤ光源部にＬＥＤ光源部と透明窓との間の空間で加熱された空気をさらに迅速で且つ效率的に排出することができる通風栓を設置する。通風栓は内部の加熱された空気、湿気は效率的に排出し、外部の異物、虫などの流入は阻む構造であるので、透明窓が湿気でくもったり結露現象が発生することが防止される。従って、ＬＥＤランプの照度が確保され、使用寿命も延長されるという效果を奏する。
【００１２】
また、通風栓はボルト部材の端部を分離することができて内部掃除が容易である。従って、ボルト部材の端部を開放して清掃機などを利用して定期的に掃除することにより、透明窓の内部の結露現象を持続的に防止することができるという效果を奏する。
【００１３】
また、本発明はランプケースの両側面の通風スリットが羽部によって下向きに開口された形状であり、ランプケースの長さ方向に長く形成されるので、空気の循環が容易でありながらもランプケースの内部に雨水や落ち葉及び粉じんなどの異物の流入が防止されるという效果を奏する。
【図面の簡単な説明】
【００１４】
【図１】本発明によるＬＥＤランプの好ましい実施例を示した分解斜視図である。
【図２】本発明によるＬＥＤランプの長さ方向断面を示した図面である。
【図３】本発明の放熱板を示した図面である。
【図４】本発明の通風栓を示した斜視図である。
【図５】（ａ）は図４をＢ方向から見た図面であり、（ｂ）は図４をＡ−Ａ`方向で切断した図面であり、（ｃ）は図５を縦方向に切断した図面である。
【図６】本発明による通風栓をＬＥＤランプに設置した状態を示した他の実施例の図面である。
【発明を実施するための形態】
【００１５】
以下、本発明の実施例を添付した図面を参照して詳細に説明する。
本発明のＬＥＤランプは、地面に立てられた街灯柱、工場灯柱などの上端に配置される固定台（図示しない）に固定され、図１及び図２に示すように、ランプケース１０、ＬＥＤ光源部２０、複数の放熱板３０、ランプカバー４０を含む。
【００１６】
ランプケース１０はＬＥＤ光源部２０及びＬＥＤ光源部２０に連結される電線（図示しない）などを保護して支持するためのものである。ランプケース１０は下部に開口される挿入口１１と内部空間１３とが形成される。挿入口１１及び内部空間１３は放熱板３０の挿入及びＬＥＤ光源部２０の結合のためのものである。
【００１７】
ランプケース１０は熱の放出に適合するように長さ方向の両側面が下向きに傾斜した形状であり、下面辺縁は平面を成し、この平面に内部を貫通するボルト孔１９が形成されている。
【００１８】
ボルト孔１９にはランプカバー４０をランプケース１０に固定するための締結ボルト７１が締結される。ボルト孔１９には締結ナットがなくても締結ボルト７１の締結が容易になるように螺糸山が形成されることが好ましい。
【００１９】
ランプケース１０は長さ方向の両側面に複数の通風スリット１５が形成される。通風スリット１５はランプケース１０の長さ方向に長く形成されて、空気の循環が容易になるようにする。通風スリット１５は縦方向に複数形成するより横方向である長さ方向に長く複数形成することが空気循環により容易である。
【００２０】
通風スリット１５にはランプケース１０の側方向に下向きに傾斜するように延長されて通風スリット１５が下方に開口されるようにする羽部１７が形成される。羽部１７はランプケース１０の内部に雨水や落ち葉及び粉じんなどの異物が流入されないで、地面で流れるようにする。
【００２１】
ランプケース１０の後面には柱の固定台（図示しない）に結合する固定部１８が形成される。
【００２２】
固定部１８にはランプケース１０の内部空間１３と連通する貫通孔が形成され、固定台を通じて延長された電線（図示しない）がランプケース１０内に挿入されることができる。
【００２３】
ランプケース１０は合成樹脂材料で形成することもでき、耐久性を向上するために金属材料で形成した後、外面に腐食防止コーティングをすることもできる。
【００２４】
ＬＥＤ光源部２０はランプケース１０の挿入口１１をカバーするように辺縁がランプケース１０の下面に結合される。ＬＥＤ光源部２０は平面形状のＰＣＢ（Ｐｒｉｎｔ  Ｃｉｒｃｕｉｔ  Ｂｏａｒｄ）基板２１とＰＣＢ基板２１の下面に結合されたＬＥＤ照明２３とを含む。
【００２５】
ＰＣＢ基板２１には固定台の貫通孔を通じてランプケース１０の内部空間１３に挿入される電線が連結される。そして、ＬＥＤ光源部２０をランプケース１０の下面に結合する方式は接着、ボルト締結などの多様な方式を採用することができる。
【００２６】
複数の放熱板３０はＬＥＤ光源部２０と接するようにランプケース１０の内部空間１３に配置される。複数の放熱板は積層されて数重に配置された構造であり、複数の放熱板の間には空間部が形成される。
【００２７】
具体的に、図３に示すように、放熱板３０はアルミニウム材料の板部３１をプレス加工して板部３１に第１突部３３及び第１突部３３に比べて外径の小さい第２突部３５が連続して突出されるように形成したものであり、第１突部３３には第２突部３５の外径に対応する第１孔３３ａが形成され、第２突部３５には第１孔３３ａより小さい第２孔３５ａが形成されるようにして、相手板部３１の第２突部３５が第１孔３３ａまでに挟まれて積層されるようにしたものである。
【００２８】
このような複数の放熱板３０は板部３１と板部３１との間に形成される空間部及び連続して連結される第１孔３３ａ及び第２孔３５ａを通じて空気が循環する空冷式構造であり、空気と接触する表面積が広くて、熱の放出に適合し、積層高さが低くても放熱效率が高い。
【００２９】
また、放熱板３０を形成するアルミニウム材料は放熱機能が優れ、素材が軽くて、ＬＥＤランプ２３を小型化、軽量化するのに寄与する。実験結果、本発明のように積層型に放熱板を製作する場合、放熱板３０の比重をＬＥＤランプの全体比重に対し４０〜５０％軽量化することができる。
【００３０】
放熱板はダイキャスティング構造にも製作することもできる。放熱板をダイキャスティング構造に製作する場合には、単純な表面積設計のみできるため、深刻な放熱問題と重量化の問題点がある。放熱板をダイキャスティング構造に製作する場合、放熱板の比重がＬＥＤランプ全体比重に対し約８０％を占める。
【００３１】
図１及び図２に示すように、ランプカバー４０はランプケース１０の下面に固定される。ランプカバー４０はＬＥＤ光源部２０と対応する位置に配置され、ＬＥＤ光源部２０を外部からカバーする透明窓４１が備えられる。透明窓４１は照度を確保するためのもので、中央をラウンドされた形態で形成し、ＬＥＤ光源部２０と所定間隔離隔させる。
【００３２】
ランプカバー４０は辺縁に締結孔４３が形成される。締結孔４３にはランプカバー４０をランプケース１０に固定するための締結ボルト７１が締結される。締結孔４３はランプケース１０のボルト孔１９と対応する位置に形成され、締結孔４３には螺糸山が形成されることができる。
【００３３】
透明窓４１に内部の空気及び湿気を外部に排出するための通風栓５０が設置される。ＬＥＤ光源部２０と透明窓４１との間の空間４７は異物の流入を防止するために密閉されるため、内外部の温度差により透明窓４１が湿気でくもったり結露現象が発生しやすい。
【００３４】
透明窓４１が湿気でくもったり結露現象が発生すると、照度を確保しにくい。これを解決するために、透明窓４１に通風孔４５のみ形成することもできるが、この通風孔４５から虫、埃などの異物が流入しやすくて、照度に影響を及ぼし、ＬＥＤランプ寿命にも影響を及ぼす。
【００３５】
従って、透明窓４１とＬＥＤ光源部２０との間の空間に異物の流入を防止しながら湿気や空気のみ外部に排出することができるように透明窓４１に通風孔４５を形成し、この通風孔４５にＬＥＤ光源部２０とランプカバー４０の内部の空気及び湿気を外部に排出する通風栓５０を設置する。
【００３６】
通風栓５０は照度に影響を及ぼさないように光と干渉されない透明窓４１の辺縁に設置する。
【００３７】
図４に示すように、通風栓５０は頭部５２と本体部５３とで構成されるボルト部材５１とナット部材６１とを含む。ボルト部材５１の頭部５２は本体部５３に比べて相対的に外径が大きく形成され、頭部５２と本体部５３を貫通して空気及び湿気が排出される流路５５、５６が形成される。
【００３８】
具体的に、本体部５３は通風孔４５に対応する外径を有し、第１流路５５が貫通されるように形成され、本体部５３に比べて相対的に外径の大きい頭部５２は側面を回って第１流路５５と連通する第２流路５６が形成される。
【００３９】
頭部５２は本体部５３と連結される第１頭部５２ａと、第１頭部５２ａと離隔される第２頭部５２ｂと、第２流路５６ｂが形成されるように第１頭部５２ａと第２頭部５２ｂとを連結するブリッジ５２ｃとを含む。
【００４０】
図４及び図５に示すように、流路５５、５６は入口５５ａが本体部５３の端部に形成され、出口５６ａが頭部５２の側面を回って形成され、頭部５２に形成された第２流路５６の出口５６ａの幅は頭部５２内に形成された複数のブリッジ５２ｃによって内部ｌから外部ｍに行くほどその幅が漸次に大きくなる形状である。このために、ブリッジ５２ｃは断面が台形であることが好ましい。
【００４１】
第２流路５６の出口５６ａの幅が内部ｌから外部ｍに行くほどその幅が漸次に大きくなれば、内部の空気と湿気の排出及び外部空気の流入が容易になるとともに、外部の虫などの異物の流入が防止されることができる。
【００４２】
また、本体部５３は第１流路５５の少なくとも一部分に間隔が狭くなる気孔部５７を形成して、外部の異物が透明窓４１とＬＥＤ光源部２０との間の空間に流入されることを防止する。
【００４３】
気孔部５７は本体部５３の第１流路５５に配置された十字状の隔膜５８によって形成される。
【００４４】
隔膜５８は辺縁から中央に向かって下向きに傾斜するように形成されて、空気の流入及び排出が容易になるようにする。
【００４５】
ボルト部材５１は流路５５、５６及び隔膜５８を有するように射出成形により一体に形成されることができる。
【００４６】
ボルト部材５１は第１流路５５の中の頭部５２と本体部５３の境界に当たる部分にフィルター部材８０が配置される。フィルター部材８０は埃などの異物の流入を防止するためのものである。フィルター部材８０の掃除が可能になるように、頭部５２はブリッジ５２ｃに第２頭部５６ａが挟まれる方式で結合されて分離可能である。
【００４７】
このように、通風栓５０はボルト部材５１の頭部５２が外部に位置するように透明窓４１に形成された通風孔４５に挿入され、通風孔４５を貫通した本体部５３にナット部材６１が締結されて透明窓４１に固定される。
【００４８】
ボルト部材５１の本体部５３の外周面にシール部材６３が結合される。シール部材６３はボルト部材５１が透明窓４１に固定されると、頭部５２と透明窓４１との間で圧入されて密封機能を果たす。
【００４９】
図６に示すように、通風栓５０は頭部５２がランプケース１０の内部空間１３に位置するようにＬＥＤ光源部２０の辺縁一側にさらに設置されることができる。この場合、透明窓４１とＬＥＤ光源部２０との間の空間４７に生成された湿気がＬＥＤ光源部２０に設置された通風栓５０を通じて排出されることができるので、湿気の排出が迅速で且つ效率的に行われる。
【００５０】
以下、本発明の作用を説明する。
まず、ＬＥＤランプを組立てる過程を説明する。
透明窓４１の辺縁に通風孔４５を形成して通風栓５０を設置する。その方法はボルト部材５１の本体部５３の外周面にシール部材６３を結合した後、頭部５２が外部に位置するようにボルト部材５１の本体部５３を通風孔４５に挿入し、通風孔４５を通じて透明窓４１の内側に突出された本体部５３にナット部材６１を締結すれば良い。このように、シール部材６３が頭部５２と透明窓４１との間に圧入されて通風孔４５が密封され、通風栓５０を透明窓４１に設置する作業が完了される。
【００５１】
次に、ランプケース１０の挿入口１１に放熱板３０を配置させたＬＥＤ光源部２０を結合して挿入口１１を密閉する。この時、放熱板３０は板部３１の第１孔３３ａに相手板部３１の第１突部３３が結合される方式で積層して数重が配置された複数の放熱板３０をＬＥＤ光源部２０の上面に配置し、ＬＥＤ光源部２０には電線を連結して固定部１８の固定孔を通じて外部に排出されるように準備しておけば良い。
【００５２】
次に、ランプケース１０のボルト孔１９にランプカバー４０の締結孔４３が対応するようにランプカバー４０を配置し、締結孔４３、ボルト孔１９を通って締結ボルト７１を締結してランプカバー４０をランプケース１０に固定する。そうすれば、図２に示した状態になる。
【００５３】
この状態で、図示しないが、ＬＥＤ光源部２０に連結される電線と柱の固定台を通じて延長された電線を連結し、固定部１８の固定孔に柱の固定台を嵌合すれば、ＬＥＤランプ２３を柱の固定台に設置する作業が完了される。
【００５４】
次に、ＬＥＤランプの放熱機能が行われる原理を説明する。
ＬＥＤ光源部２０は電気を光に変換する過程で不可欠に熱が発生する。発生された熱は複数の放熱板３０の間に形成された空間部及び連続する第１孔３３ａ、第２孔３５ａを通じて円滑に排出され、ランプケース１０の両側面に形成された通風スリット１５と相互作用して円滑な空気の循環を図ることができて、效果的に放熱することができる。
【００５５】
また、複数に積層された放熱板３０は放熱機能が優れたアルミニウム材料で形成され、広い表面積を提供するので、より高い放熱效率を提供する。
【００５６】
また、ＬＥＤランプは通風スリット１５を下方に開口するようにする羽部１７が下向きに傾斜した形態であるので、ランプケース１０の内部に雨水や落ち葉及び粉じんなどの異物の流入が防止されるという效果を奏することができる。
【００５７】
次に、通風栓によりＬＥＤランプが湿気でくもったり結露現象が防止される原理を説明する。
ＬＥＤ光源部２０は熱を発生するので、ＬＥＤ光源部２０と透明窓４１との間の空間の空気が加熱される。加熱された空気は図５のａに示すように、通風栓５０の本体部５３に形成された第１流路５５の入口５５ａを通じて気孔部５７に流入され、図５のｂのフィルター部材８０を通過して頭部５２の第２流路５６に流入された後、図５のｃに示すように、頭部５２の側面を回って形成された第２流路５６の出口５６ａを通じて排出される。
【００５８】
この過程で、外部の冷たい空気が図５のｃに示す頭部５２の第２流路５６、図５のｂに示すフィルター部材８０、図５のａに示す気孔部５７を通じて第１流路５５に流入され、ＬＥＤ光源部２０と透明窓４１との間の空間に流入される空気の循環が行われる。
【００５９】
上述した空気の循環過程で外部の冷たい空気はＬＥＤ光源部２０と透明窓４１との間の空間４７に流入されるが、虫などの異物は内部に行くほど狭くなる第２流路５６の形状により流入が防止され、埃などの異物はフィルター部材８０により流入が防止されるので、異物の流入は防止されながら湿気でくもらなくなり、結露現象が防止されるＬＥＤランプを提供することができる。
【００６０】
また、通風栓５０は第２頭部５２ｂがブリッジ５２ｃに嵌合されて分離可能な構造であるので、フィルター部材８０を定期的に掃除する際に通風栓５０の管理が容易である。
【００６１】
フィルター部材８０の定期的な掃除は第２流路５６に空気噴射清掃機などで高圧の空気を噴射することで簡単に掃除可能である。
【００６２】
図６に示すように、上記通風栓５０はＬＥＤ光源部２０にも設置することができる。この時、通風栓５０の頭部５２がランプケース１０の内部空間１３に位置するように設置すれば、ＬＥＤ光源部２０と透明窓４１との間の空間で加熱された空気をより迅速で且つ效率的に排出することができる。
【００６３】
本発明の権利範囲は上記で説明された実施例に限定されなく、特許請求範囲ににより定義され、本発明の技術分野において通常の知識を有する者であれば特許請求の範囲に記載した権利範囲内で多様な変形と改作が可能であることは明確である。
【符号の説明】
【００６４】
１０：ランプケース
１１：挿入口
１３：内部空間
１５：通風スリット
１７：羽部
１８：固定部
１９：ボルト孔
２０：ＬＥＤ光源部
２１：基板
２３：ＬＥＤ照明
３０：放熱板
３１：板部
３３：第１突部
３５：第２突部
３３ａ：第１孔
３５ａ：第２孔
４０：ランプカバー
４１：透明窓
４３：締結孔
４５：通風孔
４７：空間
５０：通風栓
５１：ボルト部材
５２：頭部
５２ａ：第１頭部
５２ｂ：第２頭部
５２ｃ：ブリッジ
５３：本体部
５５：第１流路
５６：第２流路
５５ａ：入口
５６ａ：出口
５７：気孔部
５８：隔膜
６１：ナット部材
６３：シール部材
７０：締結手段
７１：締結ボルト
８０：フィルター部材
【図１】
2016524293.tif 000003
【図２】
2016524293.tif 000004
【図３】
2016524293.tif 000005
【図４】
2016524293.tif 000006
【図５（ａ）】
2016524293.tif 000007
【図５（ｂ）】
2016524293.tif 000008
【図５（ｃ）】
2016524293.tif 000009
【図６】
2016524293.tif 000010
【国際調査報告】
2016524293.tif 000011
2016524293.tif 000012
2016524293.tif 000013
2016524293.tif 000014